(57)【要約】【課題】  条件の設定等の操作における操作性を著しく向上させることの可能な音声認識装置を提供する。【解決手段】  音声を入力する音声入力手段１と、音声入力手段１によって複数の条件項目を含む文が音声入力された場合に、音声入力された文から各条件項目を音声認識し、各条件項目のそれぞれに対応する操作コマンドに変換する音声認識手段２とを有している。【選択図】      図１
2005242371.tif 000002
【特許請求の範囲】
【請求項１】
音声を入力する音声入力手段と、音声入力手段によって複数の条件項目を含む文が音声入力された場合に、音声入力された文から各条件項目を音声認識し、各条件項目のそれぞれに対応する操作コマンドに変換する音声認識手段とを有していることを特徴とする音声認識装置。
【請求項２】
複数の条件項目を含む文が音声入力された場合に、音声入力された文から各条件項目を音声認識し、各条件項目のそれぞれに対応する操作コマンドに変換することを特徴とする音声認識方法。
【発明の詳細な説明】
【技術分野】
【０００１】
本発明は、音声認識装置および音声認識方法に関する。
【背景技術】
【０００２】
一般に、複写機またはファクシミリにおいては、例えば、コピー条件，送信条件などの条件の設定等は、利用者がキーボードなどを手指で操作することによってなされていた。
【発明の開示】
【発明が解決しようとする課題】
【０００３】
このように、従来の複写機またはファクシミリにおいては、条件の設定等をキーボードなどにより利用者が手指で操作して行なっていたので、操作性を著しく向上させるには限界があった。すなわち、複写機またはファクシミリでは、原稿を扱うため、両手が原稿のセット等でふさがっているときなど、他の操作を手指で行なうのは不便であった。また、利用者は、条件の設定等の操作に際し、キーやボタンの位置やメニューの階層などを理解している必要があり、慣れない場合の操作は簡単ではなかった。
【０００４】
本発明は、条件の設定等の操作における操作性を著しく向上させることの可能な音声認識装置および音声認識方法を提供することを目的としている。
【課題を解決するための手段】
【０００５】
上記目的を達成するために、請求項１記載の発明は、音声を入力する音声入力手段と、音声入力手段によって複数の条件項目を含む文が音声入力された場合に、音声入力された文から各条件項目を音声認識し、各条件項目のそれぞれに対応する操作コマンドに変換する音声認識手段とを有していることを特徴とする音声認識装置である。
【０００６】
また、請求項２記載の発明は、複数の条件項目を含む文が音声入力された場合に、音声入力された文から各条件項目を音声認識し、各条件項目のそれぞれに対応する操作コマンドに変換することを特徴とする音声認識方法である。
【発明の効果】
【０００７】
請求項１，請求項２記載の発明によれば、複数の条件項目を含む文が音声入力された場合に、音声入力された文から各条件項目を音声認識し、各条件項目のそれぞれに対応する操作コマンドに変換するので、条件の設定等の操作における操作性を著しく向上させることができる。
【発明を実施するための最良の形態】
【０００８】
以下、本発明を実施するための最良の形態を図面に基づいて説明する。
【０００９】
図１は本発明に係る画像形成装置の構成例を示す図である。図１を参照すると、この画像形成装置は、複写機またはファクシミリであり、音声を入力する音声入力手段１と、音声入力手段１によって入力された音声を認識し、操作コマンドに変換する音声認識手段２と、音声認識手段２からの操作コマンドを実行する操作実行手段３とを有している。
【００１０】
ここで、音声入力手段１としては、画像形成装置(複写機またはファクシミリ)が送受話器(ハンドセット)を備えている場合、送受話器を用いることができる。
【００１１】
また、音声認識手段２には、操作性を向上させるための種々の機能をもたせることができる。すなわち、画像形成装置が処理動作中であるとき(例えば、画像形成装置が複写機であって、コピー動作中であるとき)、音声認識手段２は、緊急性のある音声、例えば「待った」，「ちょっと待って」，「キャンセル」，「割り込み」などの音声だけを認識するように、これを構成することができる。
【００１２】
音声認識手段２がこのような機能を有している場合、音声認識手段２において上記のような緊急性のある音声が認識されると、音声認識手段２は、画像形成装置の処理動作(例えばコピー動作)を停止あるいは中断させる操作コマンドを操作実行手段３に与え、操作実行手段３により、画像形成装置の処理動作(例えばコピー動作)を停止あるいは中断させることができる。
【００１３】
また、音声認識手段２は、条件設定時に複数の条件項目を同時に認識可能に、これを構成することができる。例えば、画像形成装置が複写機であって、コピー条件設定時に、利用者が例えば「Ａ４で両面、１０部ソートしてステープル」のような複数の条件項目を発声し、これが音声入力手段１によって入力されるとき、音声認識手段２は、「Ａ４」，「両面」，「１０部ソート」，「ステープル」の複数の条件項目を同時に認識し、これらのそれぞれに対応する操作コマンドを操作実行手段３に与えることができる。これにより、操作実行手段３は、コピー条件として、上記複数の条件項目の各々を画像形成装置に設定することができる。このように、条件設定時に複数の条件項目を同時に認識可能に、音声認識手段２が構成されている場合には、利用者は、複数の条件項目を順次に発声するだけで良く、複数の条件項目の各々に対応するキーやボタンをそれぞれ別個に手指で操作する必要がないので、条件設定時の操作性を著しく向上させることができる。
【００１４】
また、音声認識手段２は、条件設定時に直前の条件設定との差分指定が可能に、これを構成することができる。なお、この場合、図２に示すように、差分に関する表現と、それに対応した差分量とが予め記憶されているとする。
【００１５】
具体的に、例えば、現状からの差分を表す表現により差分指定が可能に、音声認識手段２を構成することができる。例えば、利用者が、例えばコピー濃度の条件設定時に「もっと」や「もう少し」などが付いた副詞表現を発声し、これが音声入力手段１によって入力されるとき、音声認識手段２は、「もっと」や「もう少し」などが付いた副詞表現を直前のコピー濃度の条件設定値への加算値または減算値として解釈し、「もっと」や「もう少し」に対応する差分量を例えば図２のテーブルから“２”，“１”として割り出し、「もっと」や「もう少し」に続く発声が「濃く」であるときには、コピー濃度の直前の条件設定の加算値として“２”，“１”を指定し、コピー濃度を濃くなる方向に“２”，“１”だけ加算し、また、「もっと」や「もう少し」に続く発声が「薄く」であるときには、コピー濃度の直前の条件設定の減算値として２”，“１”を指定し、コピー濃度を薄くなる方向に“２”，“１”だけ減算するようになっている。
【００１６】
あるいは、例えば、現状を過分評価する表現により逆接的指定が可能に、音声認識手段２を構成することができる。例えば、利用者が、例えばコピー濃度の条件設定時に、「濃すぎる」，「薄すぎる」のような「すぎる」などが付いた副詞表現を発声し、これが音声入力手段１によって入力されるとき、音声認識手段２は、「すぎる」などが付いた副詞表現を直前のコピー濃度の条件設定値への減算値または加算値として解釈し、「すぎる」に対応する差分量を例えば図２のテーブルから“２”として割り出し、「濃すぎる」の場合には、コピー濃度を薄くする方向にコピー濃度を“２”だけ減算し、また、「薄すぎる」の場合には、コピー濃度を濃くする方向にコピー濃度を“２”だけ加算することができる。
【００１７】
また、図３は本発明に係る画像形成装置の他の構成例を示す図である。図３の画像形成装置は、図１の画像形成装置において、さらに、手指動作による指示が可能な指示手段（例えばタッチパネル）５が設けられている。この場合、操作実行手段３は、音声認識手段２からの操作コマンドと指示手段５からの指示との組み合わせによって、条件項目やその値の設定等の操作を実行するようになっている。
【００１８】
図４には、指示手段５の例として、タッチパネル１１が示されており、図４の例では、指示手段５としてのタッチパネル上に原稿の絵ＦＧが表示されている。この場合、利用者が、タッチパネル上で、原稿の絵ＦＧの例えば余白を空けたい部分ＦＧ１をなぞりながら、「このくらい余白を空けて」と発声すると、操作実行手段３では、音声認識手段２からの「このくらい余白を空けて」の認識結果を操作コマンドとして受け取り、原稿の絵ＦＧの部分ＦＧ１に対応する画像データに対して、部分ＦＧ１に相当する余白を空けるように処理を行なう。
【００１９】
このように、図３の画像形成装置では、さらに、手指動作による指示が可能な指示手段（例えばタッチパネル）５が設けられており、この場合、操作実行手段３は、音声認識手段２からの操作コマンドと指示手段５からの指示との組み合わせによって、条件項目やその値の設定等の操作を実行するようになっているので、処理がなされるべき箇所を指定しながら、音声で操作指示を出すことができて、操作性をより一層向上させることができる。
【図面の簡単な説明】
【００２０】
【図１】本発明に係る画像形成装置の構成例を示す図である。
【図２】差分に関する表現と、それに対応した差分量とが予め記憶されている対応表の一例を示す図である。
【図３】本発明に係る画像形成装置の他の構成例を示す図である。
【図４】図３の画像形成装置における指示手段の一例を示す図である。
【符号の説明】
【００２１】
１          音声入力手段
２          音声認識手段
３          操作実行手段
５          指示手段
【図１】
2005242371.tif 000003
【図２】
2005242371.tif 000004
【図３】
2005242371.tif 000005
【図４】
2005242371.tif 000006